(57)【要約】【課題】乳牛の搾乳の際の飼育舎の牛の不在状態を利用して、該搾乳作業と平行して舎内の掃除、殺虫等作業を実現できる牛舎構造を提供する。【解決手段】乳牛Ｍを飼育する飼育舎１２と、飼育舎１２に併設され乳牛の搾乳を行う搾乳舎１４と、これらに設置したオゾン発生装置６６と、飼育舎１２内と搾乳舎１４内とを連通させ乳牛が通過する開閉扉１６，１７付きの通路１８と、を備え、搾乳舎１４は、搾乳スペース区画３４と、搾乳スペース区画３４に隣接配置される待機スペース区画３６と、搾乳時に乳牛が待機スペース区画３６に進入し、順次そのまま搾乳スペース区画３４に進み、再び同じ待機スペース区画３６に自然に戻る還流路３８と、を有することを特徴とする牛舎構造１０から構成される。【選択図】図１
0003127423.tif 000002
【実用新案登録請求の範囲】
【請求項１】
乳牛を飼育する飼育舎と、
飼育舎に併設され乳牛の搾乳を行う搾乳舎と、
飼育舎内と搾乳舎内とを連通させ乳牛が通過する開閉扉付きの通路と、を備え、
搾乳舎は、搾乳スペース区画と、
搾乳スペース区画に隣接配置される待機スペース区画と、
乳牛が待機スペース区画に進入し、順次そのまま搾乳スペース区画に進み、再び同じ待機スペース区画に自然に戻る還流路と、を有することを特徴とする牛舎構造。
【請求項２】
待機スペース区画が、
搾乳前の乳牛が待機する第１待機スペースと、搾乳を終えた乳牛が待機する第２待機スペースと、に分割仕切りし、かつ、その分割位置を移動可能とする移動仕切り手段により仕切り分割されていることを特徴とする請求項１記載の牛舎構造。
【請求項３】
移動仕切り手段は、乳牛が搾乳舎に導入されて自然に待機スペース区画に進入する際に乳牛の進行を妨げない退避位置で停止保持する状態と、第１待機スペースを形成しつつ乳牛を搾乳スペース区画側に追いやるように移動する状態と、を選択的に実行するように設けられていることを特徴とする請求項２記載の牛舎構造。
【請求項４】
還流路は、通路側から搾乳スペース区画側への進行を阻止するが搾乳スペース区画側から待機スペース区画の第２待機スペース側への移動を許容する一方向通過路からなることを特徴とする請求項２または３記載の牛舎構造。
【請求項５】
待機スペース区画が搾乳スペース区画側に一端開口を臨ませて配置され両端を開放した平行枠体を含む外殻構造であり、
乳牛が搾乳舎に導入されて待機スペース区画に進入した後に乳牛を搾乳スペース区画側に追いやる移動が仕切り枠体の直線状の進退移動により行われることを特徴とすること請求項２ないし４のいずれかに記載の牛舎構造。
【請求項６】
還流路には、乳牛を一方向にのみ通行させつつ乳牛の通過時に押圧されて開かれるとともに、乳牛の通過後には重力による作用で閉鎖する開閉扉が設けられたことを特徴とする請求項１ないし５のいずれかに記載の牛舎構造。
【請求項７】
飼育舎及び／又は搾乳舎は、周囲を囲む周壁と、屋根と、で閉鎖されており、
飼育舎及び／又は搾乳舎は、周壁に設けられ常時外気を流入する外気流入部と、
他の周壁に設けられ外気流入部から外気を流入させながら舎内に一方側に向けて空気流を生じさせるように舎内の空気を舎外に排気する排気装置と、
外気流入部側に配置されオゾンを発生して空気流中に放出するオゾン発生装置と、を備え、
舎内全体にオゾンを含む空気流を生じさせることを特徴とする請求項１ないし６のいずれかに記載の牛舎構造。
【請求項８】
飼育舎及び／又は搾乳舎は、必要に応じて舎内の排気装置が設けられた周壁側付近の空気を外気流入部側に戻しながら舎内の空気を循環させる循環装置を備えたことを特徴とする請求項７記載の牛舎構造。
【考案の詳細な説明】
【技術分野】
【０００１】
本考案は、牛舎内の清掃、殺菌、消毒（殺虫）及び搾乳作業等を効率良く行える牛舎構造に関する。
【背景技術】
【０００２】
近年、数十頭から数百頭の乳牛を飼育、搾乳する大規模な酪農が盛んに行われており、例えば、乳牛の運動不足解消やストレス軽減或いは飼育者の省力化等のために、乳牛が自由に歩きまわれる牛用通路とそれぞれの乳牛が休む牛床とが設けられているフリーストール方式の牛舎が利用される場合がある（例えば、特許文献１参照）。
【特許文献１】特開２００２−２２３６５２号公報
【考案の開示】
【考案が解決しようとする課題】
【０００３】
牛舎は、毎日定期的に牛の糞尿やそれらを吸収した敷料を舎外へ排除する作業を含む掃除や消毒（殺虫）を行う必要がある。従来、牛舎内の掃除等の際には、牛は邪魔になるのでいちいち作業者が多数の牛を牛舎から、例えば屋外の草地等に追い出した後、人力または作業機械で掃除、消毒（殺虫）を行い、掃除終了後に草地に散在している多数の牛を再び牛舎内に追い入れる必要があった。すなわち、実際の掃除作業以外にも数十頭以上の乳牛の追い出し、追い入れ作業を必要とし、煩雑で多くの労力と時間がかかるとともに、雨天時の場合には、掃除中に牛が雨に濡れてしまって病気等を起こしやすいという問題があった。一方、牛舎で飼育される乳牛は、１日に朝夕の２回、搾乳されるために牛舎とは別の場所に建てられた搾乳舎に追い込み集められて、順番にミルカー等の搾乳機械で搾乳される。乳牛は毎日最低２回の搾乳を行う必要があるが、掃除の際と同様に数十頭以上の乳牛の追い出し作業を必要とし、多くの労力と時間がかかっていた。よって、飼育舎内の掃除と搾乳の際にそれぞれ乳牛の追い出し作業等を必要とし効率が悪く多大な労力と時間を費やしていた。
【０００４】
本考案は、上記従来の課題に鑑みてなされたものであり、その一つの目的は、毎日必ず行われる乳牛の搾乳の際に、飼育舎の牛の不在状態を利用して該搾乳作業と平行して舎内の掃除、消毒（殺虫）等作業を実現でき、効率良く労力と時間を使いながら乳牛の飼育を行える牛舎構造を提供することにある。また、他の目的は、飼育舎や搾乳舎内の殺菌を簡便に行い、消毒作業等の労力を低減する牛舎構造を提供することにある。
【課題を解決するための手段】
【０００５】
上記課題を解決するために本考案は、乳牛Ｍを飼育する飼育舎１２と、飼育舎１２に併設され乳牛の搾乳を行う搾乳舎１４と、飼育舎１２内と搾乳舎１４内とを連通させ乳牛が通過する開閉扉１６，１７付きの通路１８と、を備え、搾乳舎１４は、搾乳スペース区画３４と、搾乳スペース区画３４に隣接配置される待機スペース区画３６と、乳牛が待機スペース区画３６に進入し、順次そのまま搾乳スペース区画３４に進み、再び同じ待機スペース区画３６に自然に戻る還流路３８と、を有することを特徴とする牛舎構造１０から構成される。飼育舎１２や搾乳舎１４の大きさは任意でよく、飼育する乳牛の頭数等に応じて適宜設計される。また、飼育舎１２や搾乳舎１４は、少なくとも屋根を有する構造であれば好適であり、側面は牛が逃げない程度に一部を開放させた柵で囲まれていても良く、側壁により閉鎖されていても良い。
【０００６】
その際、待機スペース区画３６が、搾乳前の乳牛Ｍが待機する第１待機スペース５０と、搾乳を終えた乳牛Ｍが待機する第２待機スペース５２と、に分割仕切りし、かつ、その分割位置を移動可能とする移動仕切り手段（４８）により仕切り分割されていることとするとよい。
【０００７】
また、移動仕切り手段（４８）は、乳牛Ｍが搾乳舎１４に導入されて自然に待機スペース区画３６に進入する際に乳牛の進行を妨げない退避位置で停止保持する状態と、第１待機スペース５０を形成しつつ乳牛Ｍを搾乳スペース区画３４側に追いやるように移動する状態と、を選択的に実行するように設けられていることとしてもよい。
【０００８】
また、還流路３８は、通路１８側から搾乳スペース区画３４側への進行を阻止するが搾乳スペース区画３４側から待機スペース区画の第２待機スペース５２側への移動を許容する一方向通過路からなることとしてもよい。
【０００９】
また、待機スペース区画３６が搾乳スペース区画３４側に一端開口を臨ませて配置され両端を開放した平行枠体４６を含む外殻構造であり、乳牛が搾乳舎に導入されて待機スペース区画３６に進入した後に乳牛Ｍを搾乳スペース区画３４側に追いやる移動が仕切り枠体４８の直線状の進退移動により行われることとしてもよい。
【００１０】
また、還流路３８には、乳牛Ｍを一方向にのみ通行させつつ乳牛の通過時に押圧されて開かれるとともに、乳牛の通過後には重力による作用で閉鎖する開閉扉５４が設けられたこととしてもよい。
【００１１】
また、飼育舎１２及び／又は搾乳舎１４は、周囲を囲む周壁２０，２１，４０、４１と、屋根２２、４２と、で閉鎖されており、飼育舎１２及び／又は搾乳舎１４は、周壁２０，２１，４０，４１に設けられ常時外気を流入する外気流入部６２と、他の周壁２０，２１，４０，４１に設けられ外気流入部６２から外気を流入させながら舎内に一方側に向けて空気流Ｆを生じさせるように舎内の空気を舎外に排気する排気装置６４と、外気流入部６２側に配置されオゾンを発生して空気流中に放出するオゾン発生装置６６と、を備え、舎内全体にオゾンを含む空気流を生じさせることとしてもよい。オゾン発生装置は、例えば、内部に多数の放電管を有しており、該放電管に空気を流しつつ高電圧をかけることでオゾンを発生させるもの等任意のもので良い。オゾン発生装置は、使用する舎内の広さに応じてオゾン発生能力、設置個数等が任意に設定される。
【００１２】
また、飼育舎１２及び／又は搾乳舎１４は、必要に応じて舎内の排気装置６４が設けられた周壁２０，２１，４０，４１側付近の空気を外気流入部側に戻しながら舎内の空気を循環させる循環装置６８を備えたこととしてもよい。
【考案の効果】
【００１３】
本考案の牛舎構造によれば、乳牛を飼育する飼育舎と、飼育舎に併設され乳牛の搾乳を行う搾乳舎と、飼育舎内と搾乳舎内とを連通させ乳牛が通過する開閉扉付きの通路と、を備え、搾乳舎は、搾乳スペース区画と、搾乳スペース区画に隣接配置される待機スペース区画と、搾乳時に乳牛が待機スペース区画に進入し、順次そのまま搾乳スペース区画に進み、再び同じ待機スペース区画に自然に戻る還流路と、を有することから、毎日必ず行われる搾乳時の飼育舎からの乳牛の追い出し状態を有効に利用して、搾乳作業と飼育舎内の清掃、殺虫消毒作業等とを同時に行うことができ、労力、時間を効率良く使うことができる。さらに、搾乳を終えた乳牛も還流路を介して搾乳舎内で再び待機させておくことができるので、通路の開閉扉を閉鎖しておくことで、例えば、清掃、殺虫消毒作業等が終了するまで乳牛が戻ってこないようにしておき確実に清掃時間を確保できる。また、待機している乳牛は搾乳舎内で雨に濡れることもなく、体調を維持できる。
【００１４】
また、待機スペース区画が、搾乳前の乳牛が待機する第１待機スペースと、搾乳を終えた乳牛が待機する第２待機スペースと、に分割仕切りし、かつ、その分割位置を移動可能とする移動仕切り手段により仕切り分割されていることにより、待機スペース区画で搾乳前の乳牛と搾乳を終えた乳牛とが混ざるのを確実に防止できる。乳牛を一方向に案内しながら効率良く搾乳作業を行える。さらに、搾乳作業が進むに従って変化する搾乳前の乳牛と搾乳を終えた乳牛の頭数に応じて第１待機スペース、第２待機スペースを増減変化するように分割位置を移動できるので、１つの限られたスペース区画を有効に利用することができる。よって、搾乳舎を省スペースに構成でき、コストの高騰を防止できる。
【００１５】
また、移動仕切り手段は、乳牛が搾乳舎に導入されて自然に待機スペース区画に進入する際に乳牛の進行を妨げない退避位置で停止保持する状態と、第１待機スペースを形成しつつ乳牛を搾乳スペース区画側に追いやるように移動する状態と、を選択的に実行するように設けられている構成とすることにより、乳牛を待機スペース区画に円滑、確実に導入できる。さらに、移動仕切り手段が第１待機スペース、第２待機スペースを増減変化に伴って、乳牛を追いやって搾乳スペース区画側への移動を促すので、効率が良く、作業者の労力を低減しつつスムーズに搾乳作業を行える。
【００１６】
また、還流路は、通路側から搾乳スペース区画側への進行を阻止するが搾乳スペース区画側から待機スペース区画の第２待機スペース側への移動を許容する一方向通過路からなることから、乳牛の移動の流れを一方向として順番に乳牛を効率良く搾乳できるとともに、搾乳前の乳牛と搾乳を終えた乳牛とが混ざるのを確実に防止できる。
【００１７】
また、待機スペース区画が搾乳スペース区画側に一端開口を臨ませて配置され両端を開放した平行枠体を含む外殻構造であり、搾乳時に乳牛が搾乳舎に導入されて待機スペース区画に進入した後に乳牛を搾乳スペース区画側に追いやる移動が仕切り枠体の直線状の進退移動により行われるから、移動仕切り手段を備えた待機スペース区画を簡単な構造で具体的に実現でき、乳牛を搾乳スペース区画側に追いやる移動をスムーズかつ確実に実行することができる。さらに、例えば、必要に応じて移動仕切り枠体を通路側に向けて移動させることで通路側に乳牛を追いやることもでき、搾乳後の乳牛の飼育舎への戻りを円滑に行うことができる。
【００１８】
また、還流路には、乳牛を一方向にのみ通行させつつ乳牛の通過時に押圧されて開かれるとともに、乳牛の通過後には重力による作用で閉鎖する開閉扉が設けられたことから、乳牛の通過後には重力作用により自然に閉鎖されるので電気制御等の複雑な構成を必要とせず、一方向にのみ通過させる還流路を簡単な構造で実現でき、安価に製造できる。
【００１９】
また、飼育舎及び／又は搾乳舎は、周囲を囲む周壁と、屋根と、で閉鎖されており、飼育舎及び／又は搾乳舎は、周壁に設けられ常時外気を流入する外気流入部と、他の周壁に設けられ外気流入部から外気を流入させながら舎内に一方側に向けて空気流を生じさせるように舎内の空気を舎外に排気する排気装置と、外気流入部側に配置されオゾンを発生して空気流中に放出するオゾン発生装置と、を備え、舎内全体にオゾンを含む空気流を生じさせることから、舎内の殺菌、悪臭の防止、カビや害虫の発生の防止等を手軽に行える。その結果、例えば、日常の薬剤散布等の消毒（殺虫）作業の回数を低減でき、省力化及び作業時間の短縮化を実現できるとともに、消毒薬剤が作業者や乳牛に及ぼす悪影響も防止できる。また、菌の少ない環境で飼育、搾乳を行えるので、搾乳した牛乳の加熱殺菌処理をほとんど又は全く不要とすることも期待できる。
【００２０】
また、飼育舎及び／又は搾乳舎は、必要に応じて舎内の排気装置が設けられた周壁側付近の空気を外気流入部側に戻しながら舎内の空気を循環させる循環装置を備えたことから、例えば、夏場には、循環装置を停止して舎内に強い空気流を生じさせることにより舎内の温度上昇をおさえるとともに、冬場には、循環装置を稼働して乳牛の体温等で温められた舎内の空気の一部を循環させて舎内の温度の低減を防止できる。よって、高価な冷暖房設備を不要としつつ安価な設備で年間を通じて良好な環境下で乳牛を飼育でき、乳牛の体調を維持できる。
【考案を実施するための最良の形態】
【００２１】
以下、添付図面を参照しつつ本考案の牛舎構造の実施の形態について説明する。本考案の牛舎構造は、例えば、乳牛の飼育を行う飼育舎と搾乳を行う搾乳舎とを有し、それぞれにおける作業を効率良く行えるものである。図１ないし図７は、本考案の牛舎構造の一実施形態を示している。本実施形態において、牛舎構造１０は、乳牛Ｍを飼育する飼育舎１２と、乳牛の搾乳を行う搾乳舎１４と、飼育舎内と搾乳舎内とを連通させ乳牛が通過する開閉扉１６，１７付き通路１８と、を備えている。
【００２２】
本実施形態では、飼育舎１２は、乳牛を飼育する畜舎であり、図１、図２、図３に示すように、例えば、平面視横長矩形状で、床と、周囲を囲むように各辺の長さに対応して所要の高さに立設された４つの側壁２０，２１からなる周壁と、図示しない柱等により支持された屋根２２と、により、内部を閉鎖して設けられている。飼育舎１２の対向する短辺側壁２０には、横にスライドして開閉する開閉スライド扉２４が設けられており、例えば、必要に応じて開閉されて、作業者や作業機械、乳牛が内外を入出できるようになっている。本実施形態では、飼育舎１２の床上には、中央に長手方向に沿って水桶、餌桶等が配置された作業用通路２６が設けられつつ、その両側に２つの飼育スペース区画２８が対向して設けられている。各飼育スペース区画２８は、長辺側壁２１と、作業通路側の固定柵３０と、短辺側壁側に設けられた開閉柵３２と、により囲まれて区画されている。各飼育スペース区画２８は、乳牛が自由に歩き回ることができる牛用通路２８ａと、各乳牛が休息できる牛床２８ｂが設けられており、いわゆるフリーストール方式となっている。作業通路２６の左短辺側壁側は、開閉柵３２により開閉可能に閉鎖されている。飼育舎１２の図１上、左側の短辺側壁２０と開閉柵３２との間には、乳牛等が短辺方向に向けて移動できつつ通路１８に連結される飼育舎内通路３３が設けられている。飼育舎内通路３３の長辺側壁２１との突き当たり部分は、開閉扉１６で開閉可能に閉鎖されている。なお、飼育舎１２は、例えば、各乳牛が綱で繋がれたつなぎ方式や、牛床がなく飼育スペース区画内で自由に寝起きしたり歩きまわれるフリーバーン方式等、その他任意の方式でもよい。また、飼育舎の大きさも収容する乳牛数に応じて任意に設けられる。
【００２３】
通路１８は、飼育舎１２と搾乳舎１４との間を乳牛Ｍが往来できるようにそれらを連通する通路であり、その連通状態を必要に応じて開放、閉鎖する開閉扉１６，１７が設けられている。本実施形態では、通路１８は、側壁及び屋根で閉鎖されている。開閉扉１６，１７は、例えば、蝶番等を介して開閉されるノブ付きの横開き戸式の扉からなり、閉鎖状態ではロック等により自由な開閉スイングが抑止されて乳牛の通過を不可能とさせる。なお、開閉扉は、横にスライドして開閉するものや、シャッター状に天井側に収納されるもの、折り畳み式の折戸等、その他通路を開閉し、閉鎖状態で乳牛の通過を阻止するものであれば任意でよい。
【００２４】
搾乳舎１４は、図１、図２、図４に示すように、飼育舎１２に併設されており、通路１８を介して飼育舎１２と接続されている。搾乳舎１４は、搾乳スペース区画３４と、待機スペース区画３６と、還流路３８と、を含む。搾乳舎１４は、本実施形態では、飼育舎に比較して小さな建屋であり、飼育舎と同様に平面視横長矩形状で、床と、周囲を囲むように各辺の長さに対応して所要の高さに立設された４つの側壁４０，４１からなる周壁と、図示しない柱等により支持された屋根４２と、により、内部を閉鎖するように設けられている。本実施形態では、搾乳舎１４は、例えば、飼育舎から３〜４ｍ離れて隣接しつつその長手方向を飼育舎の長手方向と平行にして配置されている。搾乳舎１４は、図１上、左側の短辺側壁４０側で通路１８を介して飼育舎１２と接続されている。搾乳舎１４は、左側の短辺側壁４０側、すなわち通路１８側から長手方向に向けて待機スペース区画３６、搾乳スペース区画３４の順に直列状に互いに隣接配置されている。なお、搾乳スペース区画３４に隣接して、機械室４３、処理室４４、事務室４５等が配置されている。
【００２５】
図１、図３、図４に示すように、搾乳スペース区画３４は、中央に作業スペース３４ｂが配置され、その両側に乳牛Ｍの乳房に装着される自動搾乳機械のミルククロー等が配置された２つの搾乳スペース３４aが形成されている。各搾乳スペース３４aは例えば、４〜６頭程度の複数の乳牛が同時に搾乳を行える広さとなっている。なお搾乳スペースの床面は、作業スペース３４ｂの床面より高く形成されており、作業者が乳牛の乳房を確認しやすく、搾乳機械の脱着等の作業が行いやすいようになっている。
【００２６】
待機スペース区画３６は、本実施形態では、両端を開放した平行枠体４６を含む外殻構造からなる。平行枠体４６は、搾乳舎１２の長手方向に沿って長辺側壁４１から内側にある程度離隔した位置に平行に配置されており、一方の開口端部を搾乳スペース３４a側に臨ませ、他方の開口を左側の短辺側壁に臨ませて配置されている。平行枠体４６の搾乳スペース側の開口側は、２つ搾乳スペース３４aに対応した位置に、それぞれ乳牛Ｍが１頭ずつ通過できる程度にテーパ状に狭められて設けられている。待機スペース区画３６には、平行枠体４６に対して直交方向に配置されて該スペース区画内を２つに仕切りながら、平行枠体４６内をその長手方向に沿って直線状に進退移動する移動仕切り枠体４８が配置されている。この移動仕切り枠体４８は、待機スペース区画３６を、搾乳前の乳牛Ｍが待機する第１待機スペース５０と、搾乳を終えた乳牛が待機する第２スペース５２と、に分割仕切りし、かつ、その分割位置を移動可能とする移動仕切り手段である。移動仕切り枠体４８は、例えば、天井側に配置される図示しないレール等により吊支状に支持されており、レールに案内されながら機械制御により移動する。移動仕切り枠体４８は、乳牛が該仕切り枠体を超えて第１、第２待機スペース間を移動できないように阻止できるものであればよく、例えば、格子状枠体や、柵状枠体、閉鎖板状枠体等任意のものでよい。図４に示すように、移動仕切り枠体４８は、搾乳時に乳牛Ｍが搾乳舎に導入されて待機スペース区画に進入させる際には乳牛Ｍの進行を妨げないように平行枠体４６の外側の左側短辺側壁に近接された位置を退避位置Ｘとして停止保持される。そして、図５に示すように、順次乳牛Ｍを搾乳スペース３４a側に進ませる際には、移動仕切り枠体４８を直線状に移動させて平行枠体内に第１、第２待機スペース５０、５２を形成しつつ乳牛を搾乳スペース区画側に追いやるように移動する。すなわち、移動仕切り枠体は、退避位置で停止保持される状態と、第１、第２待機スペースを形成しつつ乳牛Ｍを搾乳スペース区画側に追いやるように移動する状態と、を選択的に実行する。これにより、１つの待機スペース区画３６を２つに仕切り、搾乳前の乳牛と搾乳を終えた乳牛とを混ぜることなく待機させておくことができる。その際、搾乳作業の進捗に対応してそれぞれの乳牛の数の変化に応じて仕切り枠体を移動させて、各第１、第２待機スペース５０，５２を増減変化させるとともに乳牛を搾乳スペース側に追いやって、限られた１つのスペースを有効に利用しつつ効率良く搾乳を行える。なお、全ての乳牛の搾乳が終了した後には、通路１８の開閉扉を開け、移動仕切り枠体４８を前記逆方向に直線状に移動して乳牛を通路１８側に追いやって、第２待機スペースに待機している乳牛を飼育舎へ戻すことができる。
【００２７】
還流路３８は、図４、図５に示すように、搾乳時に待機スペース区画へ進入し、順次搾乳スペース区画に進んで搾乳された乳牛Ｍが、搾乳スペース区画から再び同じ待機スペース区画に自然に戻るための通路である。本実施形態では、搾乳舎１４は、乳牛が飼育舎１２から通路１８を介して待機スペース区画３６内に自然に進入する第１経路Ｒ１と、待機スペース区画３６から隣接する搾乳スペース区画３４に進む第２経路Ｒ２と、搾乳スペース区画３４で搾乳を終えた乳牛Ｍが再び同じ待機スペース区画に戻る第３経路Ｒ３と、を含み、この第３経路Ｒ３が還流路３８から構成される。すなわち、搾乳時には、搾乳舎１４では第１、第２、第３経路に沿って乳牛が一方向への流れで移動しながら待機、移動され、効率良く搾乳される。なお、乳牛の待機スペース区画への進入後には、通路１８の開閉扉が閉鎖されることにより第１経路は断たれる。そして、第３経路となる還流路３８により搾乳を終えた乳牛は再び待機スペース区画に戻すことにより、通路１８の開閉扉１６，１７を閉鎖しておくことで、搾乳を終えた乳牛も所要時間、搾乳舎内で待機させておくことができる。よって、例えば、搾乳時に飼育舎１２内を乳牛が不在となる状態を所要時間保持でき、清掃等を円滑に行える。本実施形態では、還流路３８は、通路１８側から搾乳スペース区画側への進行を阻止するが、搾乳スペース側から待機スペース区画の第２待機スペース側への移動を許容する一方向通過路からなる。本実施形態では、還流路３８は、２つの搾乳スペース３４aから平行枠体４６と対向する長辺側壁４１との間にそれぞれ設けられ、待機スペース区画の通路１８側、すなわち移動仕切り枠体の搾乳スペース側への移動により形成される第２待機スペース側に連通するようになっている。還流路３８には、図６にも示すように、乳牛を一方向にのみ通過させるように開閉する一方向開閉扉５４が設けられており、上記のような一方向通過路を実現している。一方向開閉扉５４は、例えば、長辺側壁４１側に設けられた固定柵５６に蝶番５８を介して開閉自在に取り付けられた横開き戸式の扉からなる。一方向開閉扉５４は、蝶番５８の枢軸Ｙａが鉛直方向Ｙから少し斜めに傾けた状態で設定されており、常時重力による作用で自然に閉鎖方向に付勢される。一方向開閉扉５４の通路１８側には固定柵との間に鎖６０が張設されており、開閉扉５４の閉鎖時に緊張状態となり該閉鎖位置を保持するとともに、通路１８側から搾乳スペース側へ開閉扉５４が開かれるのを防止している。一方向開閉扉５４は、乳牛が通過する際に乳牛の体で押圧されて開かれるとともに、乳牛が通過した後には重力による作用で自然に閉鎖するようになっている。
【００２８】
さらに、本実施形態では、飼育舎１２と搾乳舎１４内では、オゾンを含む空気流を生じさせるようになっている。図１、図２、図３に示すように、飼育舎１２は、例えば、図１上、右側の短辺側壁２０には、常時外気を流入するガラリ等からなる外気流入部６２が設けられている。他方の短辺側壁２０には、例えば、舎内の空気を舎外に排気するファン装置からなる排気装置６４が設けられており、外気流入部６２から外気を流入させながら舎内に一方側に向けて空気流Ｆを生じさせる。さらに、外気流入部６２側にはオゾンを発生して空気流Ｆ中に放出するオゾン発生装置６６が設けられている。これにより、飼育舎１２内全体にはオゾンを含む空気流Ｆが一方側に向けて流れるので、舎内の殺菌、悪臭の防止、カビや害虫の発生の防止等を手軽に行える。その結果、例えば、日常の薬剤散布等の消毒（殺虫）作業の回数を低減でき省力化できるとともに、消毒薬剤が作業者や乳牛に及ぼす悪影響も防止できる。また、図７に示すように、飼育舎１２内には必要に応じて舎内の空気を循環させる循環装置６８が設けられている。循環装置６８は、舎内上部側に配置され一端部側を舎内の排気装置６４が設けられた周壁側付近に配置させるとともに他端部側をＬ字状に屈曲しつつ外気流入部側に近接配置させたダクト６９と、ダクト６９の排気装置６４側となる端部に設けられて周囲空気をダクト内に吸気する吸気ファン装置７０と、を含む。例えば、夏場には、吸気ファン装置７０を停止して、排気装置６４を排気量が強い状態で稼働させ、舎内に強い空気流を生じさせて車内の温度上昇をおさえる。一方、冬場には、排気装置６４を風量が弱い状態で稼働させつつ、吸気ファン装置７０を稼働して舎内の排気装置が設けられた周壁側付近の空気を外気流入部側に戻すことにより、乳牛の体温等で温められた舎内の空気の一部を循環させて舎内の温度の低減を防止できる。よって、高価な冷暖房設備を不要としつつ安価な設備で年間を通じて良好な環境下で乳牛を飼育でき、乳牛の体調を維持できる。
【００２９】
また、搾乳舎１４は、長辺側壁４１の搾乳スペース区画に対応した位置に例えばガラリ等からなる外気流入部６２が設けられ、該外気流入部６２側にオゾン発生装置６６が設けられているとともに、図１上、左側の短辺側壁４０にはファン装置等からなる排気装置６４が設けられている。よって、搾乳舎１４内でも飼育舎１２と同様に外気流入部６２から外気を流入させながら舎内にオゾンを含む空気流Ｆを一方側に向けて流すようになっている。これにより、搾乳舎１４内の殺菌、悪臭の防止、カビや害虫の発生の防止等を手軽に行える。また、菌の少ない環境で飼育、搾乳を行えるので、搾乳した牛乳の加熱殺菌処理をほとんど又は全く不要とすることも期待できる。なお、搾乳舎１４にも飼育舎１２と同様に循環装置６８を設けることとしてもよい。
【００３０】
次に、本実施形態に係る牛舎構造の作用について説明する。通常は、飼育舎内で乳牛を飼育し、例えば、朝夕の搾乳時には、まず、一方の飼育スペース内の乳牛Ｍを搾乳舎１４に移動させる。図４に示すように、開閉柵３２を開くとともに、通路１８の開閉扉１６，１７を開いて、飼育スペース内の乳牛を作業者等が追い出し、通路１８を介して乳牛を搾乳舎の待機スペース区画に導入させる。この際、待機スペース区画の移動仕切り枠体４８は、退避位置で停止保持された状態となっており、乳牛は通路から待機スペース区画へ進行を妨げられることなく自然に進入するようになっている。乳牛を待機スペース区画に進めた後、通路１８の開閉扉を閉鎖する。図５に示すように、移動仕切り枠体４８を退避位置から移動させて第１、第２待機スペースを形成しつつ搾乳スペース３４a側に装置の数に応じた乳牛の数だけ追いやって停止させる。搾乳スペースに進んだ乳牛は作業者により自動搾乳機を装着されて搾乳される。搾乳後には乳牛は、作業者によって搾乳機を外された後に自然と還流路３８を介して待機スペース区画の第２待機スペース５２に戻る。この際、移動仕切り枠体により分割仕切りされているので搾乳前の乳牛と搾乳を終えた乳牛とが混ざるのを確実に防止できる。以下同様に、移動仕切り枠体を移動、停止して乳牛を搾乳スペース側に所要頭数ずつ追いやりながら、乳牛の搾乳作業を行う。これにより、乳牛を一方向に案内しながら効率良く搾乳作業を行える。同時に、移動仕切り枠体は、その進退移動により追いやった乳牛の数に応じて第１待機スペースを減じつつ第２待機スペースを増やすように分割位置を移動するので、１つのスペースを有効に利用することができる。従って、搾乳舎を省スペースな構造で構成でき、コストの高騰を防止できる。さらに、この搾乳作業に平行して他の作業者が乳牛の居ない飼育スペースの清掃、消毒（殺虫）作業を行う。なお、飼育舎内及び搾乳舎内は、常時オゾンを含む空気流が流れており、殺菌、悪臭の防止、カビや害虫の発生の防止等を常時手軽に行える。よって、例えば、薬剤散布等の消毒の回数を減らすことができ、作業の省力化、短時間化が図れる。上記のように通路の開閉扉を閉鎖しているので、例えば、清掃作業が終了するまで、搾乳を終えた乳牛は搾乳舎内で待機される。これにより、搾乳時の飼育スペースの乳牛の不在状態を有効に利用して清掃作業等を行えるとともに、乳牛は搾乳舎で待機させて清掃等の時間を確実に確保できる。さらに、乳牛は雨に濡れることもない。全ての乳牛の搾乳が終了し、飼育舎の飼育スペースの清掃、消毒作業が終了したら、通路の開閉扉を開き、乳牛を飼育舎側に戻す。乳牛は自然と飼育スペースに戻るが、必要に応じて移動仕切り枠体を通路側に向けて移動させて乳牛を追いやることができる。そして同様に、飼育舎の他の飼育スペースの乳牛の搾乳及び、飼育スペースの清掃が行われる。
【００３１】
また、上記実施形態では、１棟の飼育舎１２と１棟の搾乳舎１４とを含む態様としたがこれに限らず、図８に示すように、複数棟の飼育舎１２を併設することとしてもよい。この際、通路１８を介して各飼育舎１２どうしが連通される。搾乳舎から離れた位置の飼育舎１２の乳牛は通路を通過して他の飼育舎内に進み、飼育舎内通路３３を介して順次移動しながら搾乳舎１４へ進行できる。なお、搾乳舎１４を複数棟配置させることとしてもよい。
【００３２】
以上説明した本考案の牛舎構造は、上記した実施形態のみの構成に限定されるものではなく、実用新案登録請求の範囲に記載した本考案の本質を逸脱しない範囲において、任意の改変を行ってもよい。
【産業上の利用可能性】
【００３３】
本考案の牛舎構造は、例えば、酪農等に利用され多数の乳牛を飼育、搾乳する際に好適である。
【図面の簡単な説明】
【００３４】
【図１】本考案の第１の実施形態に係る牛舎構造の内部を示す平面説明図である。
【図２】図１の牛舎構造の左側面図である。
【図３】図１の牛舎構造の右側面図である。
【図４】図１の牛舎構造の一部拡大説明図及び搾乳時の乳牛を搾乳舎に導入する際の作用説明図である。
【図５】図１の牛舎構造の一部拡大説明図及び搾乳時の移動仕切り手段の作用説明図である。
【図６】還流路に設けられる開閉扉の要部拡大斜視説明図である。
【図７】飼育舎内の縦断面一部省略図及び空気の流れを説明する作用説明図である。
【図８】複数棟の飼育舎を並列配置した説明図である。
【符号の説明】
【００３５】
１２    飼育舎
１４    搾乳舎
１６、１７    開閉扉
１８    通路
２０    短辺側壁
２１    長辺側壁
２２    屋根
３４    搾乳スペース区画
３６    待機スペース区画
３８    還流路
４０    短辺側壁
４１    長辺側壁
４２    屋根
４６    平行枠体
４８    移動仕切り枠体
５０    第１待機スペース
５２    第２待機スペース
５４    一方向開閉扉
６２    外気流入部
６４    排気装置
６６    オゾン発生装置
６８    循環装置
【図１】
0003127423.tif 000003
【図２】
0003127423.tif 000004
【図３】
0003127423.tif 000005
【図４】
0003127423.tif 000006
【図５】
0003127423.tif 000007
【図６】
0003127423.tif 000008
【図７】
0003127423.tif 000009
【図８】
0003127423.tif 000010